(57)【要約】【課題】コネクタ接続方式の光クロージャにおいて、ケース内の光ファイバに接触することなく分岐光ケーブルのコネクタ接続を容易に行うことができる光クロージャを提供する。【解決手段】分岐光ケーブル３２を幹線光ケーブル２８から取り出した光ファイバ３０とコネクタ接続するための光アダプタ３１を、ケース本体２３とこのケース本体にヒンジされたケース蓋２５とからなるクロージャケース２２の内部に備えた光クロージャ２１において、ケース本体２３内に、光ケーブル２８の光ファイバを覆っているが前記光アダプタ３１は露出させる形状の光ファイバ保護用の内部カバー３５を設ける。特に細心の注意をしなくても、光ファイバに触れることなくコネクタ接続作業をすることができ、光ファイバ誤接触による通信障害発生を防止できる。【選択図】図１
2008304550.tif 000002
【特許請求の範囲】
【請求項１】
分岐光ケーブルの光ファイバを、幹線光ケーブルから取り出した光ファイバとコネクタ接続するための光アダプタを、ケース本体とこのケース本体を閉塞するケース蓋とからなるクロージャケース内部に備えた光クロージャにおいて、
ケース本体内に、幹線光ケーブルの光ファイバが配線される領域を覆っているが前記光アダプタは露出させる形状の光ファイバ保護用の内部カバーを設けたことを特徴とする光クロージャ。
【請求項２】
前記内部カバーは、光アダプタの分岐光ケーブル側の片側のみを露出させる形状であることを特徴とする請求項１記載の光クロージャ。
【請求項３】
前記内部カバーは、単に指で掴んでケース本体の側壁面側と反対側に動かすだけで簡単にケース本体から取り外せる態様で、ケース本体内に装着されていることを特徴とする請求項１記載の光クロージャ。
【請求項４】
前記内部カバーの輪郭は、概ねケース本体の内部の輪郭に沿っているが、その一部が切り欠かれ、ケース本体を開放した際に、光アダプタの分岐光ケーブル側の片側のみが、切り欠かれている部分から露出し、ケース本体を開放した際に、光アダプタの片側が露出することを特徴とする請求項１又は３記載の光クロージャ。
【請求項５】
前記内部カバーは、ケース本体の側壁面と平行な覆い面と、この覆い面の上縁部で直角に折曲された壁部とを有し、前記壁部はケース本体とケース蓋とのヒンジ部に沿っていることを特徴とする請求項４記載の光クロージャ。
【発明の詳細な説明】
【技術分野】
【０００１】
この発明は、分岐光ケーブルをコネクタ接続するための光アダプタを内部に備えたコネクタ接続方式の光クロージャに関する。
【背景技術】
【０００２】
一般に、ドロップケーブル等の分岐光ケーブルを幹線光ケーブルとコネクタ接続できるコネクタ接続方式の架空の光クロージャは、クロージャケース（クロージャ筐体）内で通過ケーブルの光ファイバと、分岐光ケーブルを接続する光アダプタ列とが混載されているが、従来のこの種の一般的な光クロージャでは、光ファイバ収納部と光アダプタ列とが単に、隣接する別領域として設けられているだけである。
【０００３】
また、図７（イ）、（ロ）に示した光クロージャ１のように、クロージャケース２の内部空間Ａとは別の空間（第２の部屋）Ｂを形成する開閉蓋３ｂ付きの小形ケース３をクロージャケース２に隣接して設け、この小形ケース３内に光アダプタ列４を設けたものもある（特許文献１）。
同図において、５は幹線光ケーブル、６は幹線光ケーブル５から引き出した光ファイバ、７は融着接続部、８は中継光ファイバ、９は分岐光ケーブル（光ドロップケーブル）、８ａ、９ａは光コネクタ、１０ａ、１０ｂはクロージャケース２の端面板、１１ａ、１１ｂは小形ケース３の端面板である。図７（イ）は光クロージャ１の断面図、同図（ロ）はクロージャケース２の蓋２ｂを閉じ小形ケース３のヒンジ式の開閉蓋（分り易いように斜視図的に描いている）３ｂを開いた状態の図である。
【０００４】
なお、光ファイバ・メタル心線共用の接続箱の場合では、光ファイバがメタル心線に接触して損傷、断線等が発生することを防止するために、クロージャケース内部に内蓋を設けて、内部を光ファイバ収納空間とメタル心線収納空間とに仕切り、両者を分離したものがある（特許文献２）。
また、光機器部と電気機器部とを内蔵する架空設置用の通信機器として、電気機器側への漏水等を防止するために、光電気変換装置と光配線部分を密閉構造で分離した構成の光加入者ネットワーク装置がある（特許文献３）
【特許文献１】特開２００３−１７７２５４(クロージャ)
【特許文献２】特開２０００−１１５９８２(光心線・メタル心線接続箱)
【特許文献３】特開平１０−３０８５８６（架空設置型通信機器）
【発明の開示】
【発明が解決しようとする課題】
【０００５】
上記のクロージャ内部に既設の光ケーブルの光ファイバと光アダプタ（あるいは光レセプタクル等の光接続機構、以下本発明で同様）とが混載されている光クロージャの場合、光ファイバと光アダプタとが密に混在することになるので、既設の光クロージャにユーザ側に引き落とされる分岐光ケーブルを接続するために光クロージャ内の光アダプタに分岐光ケーブルの光コネクタを接続する際、作業者が光クロージャ内の光ファイバに誤接触する恐れがあった。
光ファイバに誤接触すると通信障害が発生する場合がある。このため、光ファイバ開通後に、光クロージャを開封して新たなドロップケーブルを接続する作業は非常に慎重に行う必要があり、作業効率を低下させる要因になっていた。
【０００６】
一般に、分岐光ケーブルを接続する作業会社と光クロージャを敷設する作業会社とが別である場合が多く、分岐光ケーブル接続の作業会社には、分岐光ケーブル接続作業の際に、作業対象の光アダプタ以外の光配線部品には接触したくないという要望が非常に多い。
【０００７】
特許文献１の光クロージャ１は、このような要望に応えることができるが、クロージャケース２とは別に小形ケース３を設けるのは、大型化し、構造が複雑になり、コストが高くなる。
【０００８】
特許文献２は、メタル回線の収納空間と光回線の収納空間とを互いに分離させる構造であるが、両収納空間はケース蓋側とケース本体側とに完全に別れ、ケース蓋側のメタル回線を内蓋で仕切っている構造であるから、このような構造を、コネクタ接続方式の架空の光クロージャにこの構造を採用することはできない。
すなわち、一般に架空の光クロージャでは、ケース蓋はケース内部をクローズするだけの機能しかなく、ケース蓋の裏側を収納部として利用するだけの大きさはないし、収納部がケース本体側とケース蓋側に別れてしまうと、架空での光配線作業が非常にやりにくくなる。
特許文献３は、光電気変換装置部分と光配線部分を密閉構造で分離するものであるから、このような密閉構造によっては、光ケーブルの光ファイバに接触することなく分岐光ケーブルの光コネクタ接続が容易に行えるような光アダプタ配列を実現することは困難である。
【０００９】
本発明は上記従来の欠点を解消するためになされたもので、コネクタ接続方式の光クロージャにおいて、ケース内の光ファイバに接触することなく分岐光ケーブルのコネクタ接続を容易に行うことができる光クロージャを提供することを目的とする。
【課題を解決するための手段】
【００１０】
上記課題を解決する本発明は、分岐光ケーブルの光ファイバを、幹線光ケーブルから取り出した光ファイバとコネクタ接続するための光アダプタを、ケース本体とこのケース本体を閉塞するケース蓋とからなるクロージャケース内部に備えた光クロージャにおいて、
ケース本体内に、幹線光ケーブルの光ファイバが配線される領域を覆っているが前記光アダプタは露出させる形状の光ファイバ保護用の内部カバーを設けたことを特徴とする。
【００１１】
請求項２は、請求項１の光クロージャにおいて、内部カバーが、光アダプタの分岐光ケーブル側の片側のみを露出させる形状であることを特徴とする。
【００１２】
請求項３は、請求項１の光クロージャにおいて、内部カバーが、単に指で掴んでケース本体の側壁面側と反対側に動かすだけで簡単にケース本体から取り外せる態様で、ケース本体内に装着されていることを特徴とする。
【００１３】
請求項４は、請求項１又は３の光クロージャにおいて、内部カバーの輪郭が、概ねケース本体の内部の輪郭に沿っているが、その一部が切り欠かれ、ケース本体を開放した際に、光アダプタの分岐光ケーブル側の片側のみが、切り欠かれている部分から露出し、ケース本体を開放した際に、光アダプタの片側が露出することを特徴とする。
【００１４】
請求項５は、請求項４の光クロージャにおいて、内部カバーが、ケース本体の側壁面と平行な覆い面と、この覆い面の上縁部で直角に折曲された壁部とを有し、前記壁部はケース本体とケース蓋とのヒンジ部に沿っていることを特徴とする。
【発明の効果】
【００１５】
本発明によれば、幹線側光ケーブルの光ファイバを覆うが、作業を行う分岐側の光アダプタ接続ポートは作業面に露出させる形状であるから、分岐光ケーブルの光コネクタを光クロージャ内の光アダプタに接続するコネクタ接続作業の際、作業者がケース蓋をあけると、光アダプタ部分のみが露出し、接触してはいけない光ファイバ部分は内部カバーで覆われた状態にある。したがって、特に細心の注意をしなくても、光ファイバに触れることなくコネクタ接続作業をすることができ、光ファイバ誤接触による通信障害発生を防止できる。また、作業能率が向上する。
【００１６】
光アダプタの分岐光ケーブル側の片側のみが露出していれば、分岐光ケーブルの光コネクタを光アダプタに接続する上で支障がないので、請求項２のように光アダプタの分岐光ケーブル側の片側のみが露出している構成が無用な露出部をなくすために好ましい。
【００１７】
請求項３のように、内部カバーが指で掴んで簡単に外せる構造のものであれば、ネジで固定したり係合爪で固定したりするものと比べて、その着脱は容易であり、また、内部カバーを含めた内部構造が複雑なものとならず、コストも安くできる。
この構成は、幹線光ケーブルから取り出した光ファイバに直接光コネクタを取り付けて、分岐光ケーブルとコネクタ接続する構造の小形の光クロージャに適しており、また、分岐光ケーブルの本数があまり多くない小形の光クロージャに適している。
【００１８】
請求項４のように内部カバーをケース本体の輪郭に沿った形状にすると、特にネジで固定する等しなくても、ケース本体の輪郭が拘束されてケース本体内でみだりに動かず安定するので、請求項３のように内部カバーを指で簡単に外せる構造にすることが容易である。
【００１９】
請求項５によれば、内部カバーを請求項４の構成とする場合に、内部カバーの覆い面の上縁部から直角に折曲された壁部が、内部カバーをケース本体内でみだりに動かないように安定させるために有効に作用する。
【発明を実施するための最良の形態】
【００２０】
以下、本発明を実施した光クロージャについて、図面を参照して説明する。
【実施例１】
【００２１】
図１〜図５に本発明の一実施例の光クロージャ２１を示す。この光クロージャ２１は、幹線光ケーブルから分岐する光ファイバと、ドロップケーブル等の分岐光ケーブルの光ファイバとをコネクタ接続するコネクタ接続方式の光クロージャである。
光クロージャ２１のクロージャケース２２は、樹脂成形品であり、ケース本体２３とこのケース本体２３に薄肉ヒンジ部２４にて開閉可能に一体的に設けられたケース蓋２５とからなる。ケース本体２３は深い凹形、ケース蓋２５は浅い凹形であり、ケース蓋２５を閉じた時に、両端に開口部２６、２７を有する筒状の内部空間が形成される。
開口部２６、２７には樹脂エンドシール、樹脂端面板（図示略）が取り付けられて、内部が封止される。
分岐光ケーブルを接続する、あるいはユーザ宅側へ引き落とすために、クロージャケース２２は、複数の分岐光ケーブルが導入される分岐光ケーブル導入側（図１〜図４で右側）が広く、幹線光ケーブルが挿通するだけの反対側は狭くなっている。
また、分岐光ケーブル導入側の開口部２６は広く、反対側の開口部２７は狭い。
また、ケース本体２３及びケース蓋２５のそれぞれ下縁部に、互いに係合してケース蓋２５を閉じた状態に保持する係合部２３ｃ、２５ｃを形成している。
【００２２】
２８は幹線光ケーブルである。幹線光ケーブル２８はケーブル把持金具３３でケース本体２３に把持される。２８ａは例えばＳＺ螺旋溝を持つスロットロッドである。幹線光ケーブル２８のケース内部ではシースが除去されて光ファイバ２９、３０が露出する。２９は通過心線（通過光ファイバ）、３０は光ファイバ（分岐光ファイバ）である。ケース本体２３の側壁２３ａの分岐光ケーブル導入側部分２３ａ’に複数の光アダプタ３１が固定されている。幹線光ケーブル２８から取り出された前記光ファイバ３０に光コネクタ３０ａが取り付けられ、この光コネクタ３０ａと分岐光ケーブル３２の光コネクタ３２ａとが光アダプタ３１において光接続される。分岐光ケーブル３２は分岐ケーブル把持部３４において把持される。
【００２３】
前記光ファイバ３０は例えば０．２５ｍｍφのいわゆるＵＶ素線等であり、この光ファイバ３０に光コネクタ３０ａが取付けられる。また、分岐光ケーブル３２に光コネクタ３２ａが取付けられる。
【００２４】
上記ケース本体２３内に、幹線光ケーブル２８の光ファイバ２９、３０を覆っているが前記光アダプタ３１は露出させる形状の光ファイバ保護用の一枚の内部カバー３５が設けられている。この実施例の内部カバー３５は、概ねケース本体２３の輪郭に合わせて嵌め込むことができるように、ケース本体の輪郭に合わせて分岐光ケーブル３２側の面積が広く反対側が狭く面積の少ない形状である。
内部カバーの一部は切りかかれた部分が形成されており、この切りかかれた部分は、光アダプタ３１の片側（分岐光ケーブル３２側の片側）部分のみが露出するようにカギ形（あるいは矩形）である。
切りかかれた部分の直線状の縁部から光アダプタの片側が露出している。
光アダプタの中央より幹線光ケーブル側（図１左側）および、幹線光ケーブルのケーブル被覆除去部分は、内部カバーにより隠れるようになっている。
この切りかかれた部分では、光アダプタの接続ポートと、光アダプタに接続される分岐光ファイバの配線域のみが露出し、幹線側は露出しないようになっている。
また、この内部カバー３５は、ケース本体２３の側壁面と平行な覆い面３５ａと、この覆い面３５ａの上縁部（図２で上側）で直角に折曲された壁部３５ｂとを有している。前記壁部３５ｂは、ケース本体２３とケース蓋２５とのヒンジ部２４に沿っており、ケース本体２３の天面２３ｄに概ね接触する態様で装着されている。また、光アダプタ３１の片側部分を露出させるようにカギ形に切り欠いた部分についても、前記壁部３５ｂと平行な壁部３５ｃを形成している。
ケース蓋２５は単なる蓋であり、その内部に特に部品を設けていない。
なお、切りかかれた部分の形状は図示に限定されない。
【００２５】
上記の光クロージャ２１において、内部カバー３５は、幹線光ケーブル２８の光ファイバ２９、３０を覆っているが光アダプタ３１は露出させる形状であるから、分岐光ケーブル３２の光コネクタ３２ａを光クロージャ２１内の光アダプタ３１に接続するコネクタ接続作業の際、作業者がケース蓋２５をあけると、光アダプタ３１部分のみが露出し、光ファイバ２９、３０部分は内部カバー３５で覆われた状態にある。したがって、特に細心の注意をしなくても、光ファイバ２９、３０に触れることなくコネクタ接続作業をすることができ、光ファイバ誤接触による通信障害発生を防止できる。また、作業能率が向上する。
【００２６】
光アダプタ３１の分岐光ケーブル３２側の片側さえ露出していれば、分岐光ケーブル３２の光コネクタ３２ａを光アダプタ３１に接続する上で支障がないので、上記実施例の内部カバー３５のように、カギ形の切欠きにより光アダプタ３１の片側（分岐光ケーブル側の片側）のみが露出している構成が無用な露出部をなくすために好ましい。
【００２７】
上記の内部カバー３５は、ネジで固定したり係合爪で固定したりしておらず、ケース本体２３内に単に嵌め込む態様で装着しているので、指で掴んでケース本体２３の側壁２３ａと反対側に動かすだけで簡単に外すことができる。
このような構成は、ネジで固定したり係合爪で固定したりするものと比べて、その着脱は容易であり、また、内部カバー３５を含めた内部構造が複雑なものとならず、コストも安くできる。この構成は、実施例のように、分岐光ケーブル３２の本数があまり多くない比較的小型の光クロージャに適している。
【００２８】
上記の内部カバー３５のように、ケース本体２３の輪郭に沿った形状であり、また、覆い面３５ａの上縁部から直角に折曲された壁部３５ｂを持つ形状は、内部カバー３５をケース本体２３内でみだりに動かないように安定させる上で有効な形状である。
また、このような形状にすることで、特にネジで固定する等しなくても、ケース本体の輪郭が拘束されてケース本体内でみだりに動かず安定させることができる。したがって、内部カバー３５を指で簡単に外せる構造にすることが容易である。
【実施例２】
【００２９】
実施例の内部カバー３５は、光アダプタ３１の分岐光ケーブル３２側の片側のみを露出させる形状であるが、光アダプタ３１の全体を露出させるものであってもよい。
また、実施例のクロージャケース２２の輪郭は、正面図（図２〜図４）で見て分岐光ケーブル３２側が膨らんだ形状であるが、これに限らず、例えば単なる長方形であってもよい。光アダプタ列の配置等に応じて適切な形状とすればよい。例えば、分岐光ケーブルを両側から導入する場合には、正面図で見て長方形にするとよい。
【図面の簡単な説明】
【００３０】
【図１】本発明の一実施例の光クロージャの、ケース蓋を開いた状態の斜視図である。
【図２】上記光クロージャの、ケース蓋を開きかつ内部カバーを取り外した状態の正面図である。
【図３】図２において、クロージャケース内部に内部カバーを装着した状態の正面図である。
【図４】上記光クロージャのケース蓋を閉じた状態の正面図である。
【図５】図４のＡ−Ａ拡大断面図である。
【図６】図３における内部カバーの斜視図である。
【図７】従来のコネクタ接続方式の光クロージャを示すもので、（イ）は正面断面図、（ロ）はケース蓋を閉ざし小形ケースの開閉蓋を開いた状態の正面図である。
【符号の説明】
【００３１】
２１  光クロージャ
２２  クロージャケース
２３  ケース本体
２３ａ  （ケース本体の）側壁
２３ａ’  （ケース本体２３の側壁２３ａの）分岐光ケーブル導入側部分
２３ｃ、２５ｃ  係合部
２３ｄ    （ケース本体の）天面
２５  ケース蓋
２６、２７  開口部
２８  幹線光ケーブル
２８ａ  スロットロッド
２９  通過心線（通過光ファイバ）
３０  光ファイバ（分岐光ファイバ）
３０ａ  光コネクタ
３１  光アダプタ
３２  分岐光ケーブル
３２ａ  光コネクタ
３３  ケーブル把持金具
３４  分岐光ケーブル把持部
３５  内部カバー
３５ａ  覆い面
３５ｂ、３５ｃ  壁部
【図１】
2008304550.tif 000003
【図２】
2008304550.tif 000004
【図３】
2008304550.tif 000005
【図４】
2008304550.tif 000006
【図５】
2008304550.tif 000007
【図６】
2008304550.tif 000008
【図７】
2008304550.tif 000009